(57)【要約】【課題】他の機器との相互間での操作情報の伝送を可能にして操作形態の多様化を図り得るとともに、簡易な構成として小型化も効果的に促進することができるようにした情報処理装置及びその制御方法を提供すること。【解決手段】実施の形態によれば、情報処理装置は、受信手段と接続端子と発生手段と切替手段とを備える。受信手段は、リモートコントローラから無線送信される操作情報を受信する。接続端子は、有線により操作情報の入出力を行なう。発生手段は、接続端子を介して出力する操作情報を発生する。切替手段は、接続端子を介して操作情報を入力する状態と、接続端子を介して受信手段で受信した操作情報及び発生手段から出力される操作情報の少なくとも一方を出力する状態とに選択的に設定する。【選択図】    図１
2012034190.tif 000002
【特許請求の範囲】
【請求項１】
リモートコントローラから無線送信される操作情報を受信する受信手段と、
有線により操作情報の入出力を行なう接続端子と、
前記接続端子を介して出力する操作情報を発生する発生手段と
前記接続端子を介して操作情報を入力する状態と、前記接続端子を介して前記受信手段で受信した操作情報及び前記発生手段から出力される操作情報の少なくとも一方を出力する状態とに選択的に設定する切替手段とを具備する情報処理装置。
【請求項２】
前記切替手段は、表示されたメニュー画面上で、状態を設定する操作が行なわれるように構成される請求項１記載の情報処理装置。
【請求項３】
前記切替手段は、電源をオンにする旨の操作情報を前記受信手段で受けた場合、自動的に出力状態に設定され、電源をオンにする旨の操作情報を前記接続端子を介して受けた場合、自動的に入力状態に設定される請求項１記載の情報処理装置。
【請求項４】
前記発生手段は、表示されたメニュー画面上で、発生する操作情報を選定する操作が行なわれるように構成される請求項１記載の情報処理装置。
【請求項５】
前記接続端子は、操作情報を伝送する信号線の一端部に設置されたジャックが装着されるように構成される請求項１記載の情報処理装置。
【請求項６】
前記接続端子は、操作情報を伝送する信号線の一端部に設置された３．５ｍｍの小型ジャックが装着されるように構成される請求項１記載の情報処理装置。
【請求項７】
前記信号線の他端部には、他の機器が有する操作情報の出力端子、または、他の機器が有する操作情報の入力端子に、選択的に装着されるジャックが設置される請求項５記載の情報処理装置。
【請求項８】
前記信号線の他端部には、前記接続端子を介して出力される操作情報を無線送信する送信手段が設置される請求項５記載の情報処理装置。
【請求項９】
リモートコントローラから無線送信される操作情報を受信手段で受信し、
接続端子を介して有線により操作情報の入出力を行ない、
前記接続端子を介して出力する操作情報を発生手段で発生し
前記接続端子を介して操作情報を入力する状態と、前記接続端子を介して前記受信手段で受信した操作情報及び前記発生手段から出力される操作情報の少なくとも一方を出力する状態とに、切替手段により選択的に設定する情報処理装置の制御方法。
【発明の詳細な説明】
【技術分野】
【０００１】
この発明の実施の形態は、リモートコントローラを用いた無線による遠隔操作が可能な情報処理装置及びその制御方法に関する。
【背景技術】
【０００２】
周知のように、首記の如き情報処理装置として、例えばデジタルテレビジョン放送受信装置等に代表される一般的な家庭向けのＡＶ（audio visual）機器にあっては、ユーザがリモートコントローラを操作して無線送信した操作情報を受信することにより、種々の動作状態や停止状態等に遠隔操作することが可能となっている。
【０００３】
また、近年では、１つのＡＶ機器をそれに対応するリモートコントローラで操作するだけでなく、複数のＡＶ機器同士を操作情報の伝送可能に有線接続し、特定のＡＶ機器で他のＡＶ機器を操作することや、リモートコントローラから特定のＡＶ機器に送信された操作情報で他のＡＶ機器を操作するといった、操作形態の多様化が促進されている。
【０００４】
ところで、上記のようにして複数のＡＶ機器に対して操作形態の多様化を図るようにした技術は、まだまだ開発途上にある段階であり、細部に亘って改良を施す余地が多々残されている。特に現在では、表示画面を除いて殆どのＡＶ機器が小型化傾向にあるため、その傾向に十分に対応するような開発が強く望まれている。
【先行技術文献】
【特許文献】
【０００５】
【特許文献１】特開２００１−２６８６５９号公報
【発明の概要】
【発明が解決しようとする課題】
【０００６】
他の機器との相互間での操作情報の伝送を可能にして操作形態の多様化を図り得るとともに、簡易な構成として小型化も効果的に促進することができるようにした情報処理装置及びその制御方法を提供することを目的とする。
【課題を解決するための手段】
【０００７】
実施の形態によれば、情報処理装置は、受信手段と接続端子と発生手段と切替手段とを備える。受信手段は、リモートコントローラから無線送信される操作情報を受信する。接続端子は、有線により操作情報の入出力を行なう。発生手段は、接続端子を介して出力する操作情報を発生する。切替手段は、接続端子を介して操作情報を入力する状態と、接続端子を介して受信手段で受信した操作情報及び発生手段から出力される操作情報の少なくとも一方を出力する状態とに選択的に設定する。
【図面の簡単な説明】
【０００８】
【図１】実施の形態におけるデジタルテレビジョン放送受信装置の信号処理系の一例を説明するために示すブロック構成図。
【図２】同実施の形態におけるデジタルテレビジョン放送受信装置に使用されるリモートコントローラの一例を説明するために示す外観図。
【図３】同実施の形態におけるデジタルテレビジョン放送受信装置で表示される設定メニュー画面の一例を説明するために示す図。
【図４】同実施の形態におけるデジタルテレビジョン放送受信装置をリモートコントローラで操作する操作形態の一例を説明するために示す図。
【図５】同実施の形態におけるデジタルテレビジョン放送受信装置を外部のＡＶ機器で操作する操作形態の一例を説明するために示す図。
【図６】同実施の形態におけるデジタルテレビジョン放送受信装置のリモートコントローラで外部のＡＶ機器を操作する操作形態の一例を説明するために示す図。
【図７】同実施の形態におけるデジタルテレビジョン放送受信装置で外部のＡＶ機器を操作する操作形態の一例を説明するために示す図。
【図８】同実施の形態におけるデジタルテレビジョン放送受信装置で表示される操作情報選択メニュー画面の一例を説明するために示す図。
【発明を実施するための形態】
【０００９】
以下、実施の形態について図面を参照して詳細に説明する。図１は、この実施の形態で説明する情報処理装置の一例として、ＡＶ機器であるデジタルテレビジョン放送受信装置１１の信号処理系を概略的に示している。
【００１０】
すなわち、アンテナ１２で受信したデジタルテレビジョン放送信号は、入力端子１３を介してチューナ部１４に供給されることにより、所望のチャンネルの放送信号が選局される。チューナ部１４で選局された放送信号は、復調復号部１５に供給されてデジタルの映像信号及び音声信号等に復元された後、信号処理部１６に出力される。
【００１１】
この信号処理部１６は、復調復号部１５から供給されたデジタルの映像信号及び音声信号に対してそれぞれ所定のデジタル信号処理を施している。そして、この信号処理部１６は、デジタルの映像信号を合成処理部１７に出力し、デジタルの音声信号を音声処理部１８に出力している。
【００１２】
このうち、合成処理部１７は、信号処理部１６から供給されるデジタルの映像信号に、ＯＳＤ（on screen display）信号生成部１９で生成されるＯＳＤ信号を重畳して出力している。そして、合成処理部１７から出力されたデジタルの映像信号は、映像処理部２０に供給される。
【００１３】
この映像処理部２０は、入力されたデジタルの映像信号を、後段の、例えば液晶表示パネル等を有する平面型の映像表示部２１で表示可能なフォーマットに変換している。そして、この映像処理部２０から出力された表示映像信号が、映像表示部２１に供給されて映像表示に供される。
【００１４】
また、上記音声処理部１８は、入力されたデジタルの音声信号を、後段のスピーカ２２で再生可能なフォーマットのアナログ音声信号に変換している。そして、この音声処理部１８から出力されたアナログ音声信号が、スピーカ２２に供給されることにより音声再生に供される。
【００１５】
ここで、このデジタルテレビジョン放送受信装置１１は、上記した各種の受信動作を含むその全ての動作を制御部２３によって統括的に制御されている。この制御部２３は、ＣＰＵ（central processing unit）２３ａを内蔵しており、デジタルテレビジョン放送受信装置１１の本体に設置された操作部２４からの操作情報を受けて、または、リモートコントローラ２５から送出され受光部２６で受信した操作情報を受けて、その操作内容が反映されるように各部をそれぞれ制御している。
【００１６】
この場合、制御部２３は、メモリ部２３ｂを利用している。このメモリ部２３ｂは、主として、ＣＰＵ２３ａが実行する制御プログラムを格納したＲＯＭ（read only memory）と、該ＣＰＵ２３ａに作業エリアを提供するためのＲＡＭ（random access memory）と、各種の設定情報及び制御情報等が格納される不揮発性メモリとを有している。
【００１７】
また、この制御部２３には、ＨＤＤ（hard disk drive）２７が接続されている。この制御部２３は、ユーザによる操作部２４やリモートコントローラ２５の操作に基づいて、上記復調復号部１５から得られるデジタルの映像信号及び音声信号を、記録再生処理部２８によって暗号化し所定の記録フォーマットに変換した後、ＨＤＤ２７に供給してハードディスク２７ａに記録させるように制御することができる。
【００１８】
さらに、この制御部２３は、ユーザによる操作部２４やリモートコントローラ２５の操作に基づいて、ＨＤＤ２７によりハードディスク２７ａからデジタルの映像信号及び音声信号を読み出させ、上記記録再生処理部２８によって復号化した後、信号処理部１６に供給することによって、以後、上記した映像表示及び音声再生に供させるように制御することができる。
【００１９】
また、上記デジタルテレビジョン放送受信装置１１には、入力端子２９が接続されている。この入力端子２９は、デジタルテレビジョン放送受信装置１１の外部からデジタルの映像信号及び音声信号を直接入力するためのものである。この入力端子２９を介して入力されたデジタルの映像信号及び音声信号は、ユーザによる操作部２４やリモートコントローラ２５の操作に対応した制御部２３の制御に基づいて、記録再生処理部２８を介した後、信号処理部１６に供給されて、以後、上記した映像表示及び音声再生に供される。
【００２０】
さらに、この入力端子２９を介して入力されたデジタルの映像信号及び音声信号は、ユーザによる操作部２４やリモートコントローラ２５の操作に対応した制御部２３の制御に基づいて、記録再生処理部２８を介した後、ＨＤＤ２７によるハードディスク２７ａに対しての記録再生に供される。
【００２１】
ここで、上記制御部２３には、切替制御部３０が接続されている。この切替制御部３０は、外部接続端子３０ａを備えており、この外部接続端子３０ａを介して、例えばＰＣや光ディスク記録再生装置等々の他のＡＶ機器３１と有線接続されることによって、操作情報の伝送を可能とすることができる。
【００２２】
すなわち、この切替制御部３０は、ユーザによる操作部２４やリモートコントローラ２５の操作に対応した制御部２３の制御に基づいて、その外部接続端子３０ａを、操作情報の入力端子として使用可能とする入力モードと、操作情報の出力端子として使用可能とする出力モードとに、選択的に切り替えることができる。
【００２３】
つまり、外部接続端子３０ａは、ＡＶ機器３１が備えた操作情報の出力端子が接続される場合、そのＡＶ機器３１から出力される操作情報を入力するために入力モードに設定することができる。また、外部接続端子３０ａは、ＡＶ機器３１が備えた操作情報の入力端子が接続される場合、そのＡＶ機器３１に入力すべき操作情報を出力するために出力モードに設定することができる。
【００２４】
そして、詳細は後述するが、まず、上記切替制御部３０は、入力モード及び出力モードのいずれに設定されている場合であっても、リモートコントローラ２５から送信され受光部２６で受信された操作情報が供給された場合には、受光部２６からの操作情報を無条件に制御部２３に供給するように動作する。これにより、制御部２３は、リモートコントローラ２５から送信された操作情報を受けて、その操作内容が反映されるように各部をそれぞれ制御することが可能になる。
【００２５】
また、上記切替制御部３０は、入力モードに設定されているとき、外部のＡＶ機器３１から供給される操作情報を制御部２３に供給するように動作する。これにより、制御部２３は、ＡＶ機器３１から供給された操作情報を受けて、その操作内容が反映されるように各部をそれぞれ制御することが可能になる。
【００２６】
さらに、上記切替制御部３０は、出力モードに設定されているとき、リモートコントローラ２５から送信され受光部２６で受信された操作情報を、外部接続端子３０ａを介してＡＶ機器３１に出力するように動作する。これにより、リモートコントローラ２５から送信される操作情報によって、外部のＡＶ機器３１を制御することが可能になる。
【００２７】
また、上記切替制御部３０は、出力モードに設定されているとき、ユーザによる操作部２４やリモートコントローラ２５の操作に対応した制御部２３の制御に基づいて操作情報発生部３２から出力される操作情報を、外部接続端子３０ａを介してＡＶ機器３１に出力するように動作する。これにより、デジタルテレビジョン放送受信装置１１に内蔵された操作情報発生部３２から出力される操作情報によって、外部のＡＶ機器３１を制御することが可能になる。
【００２８】
すなわち、ＡＶ機器であるデジタルテレビジョン放送受信装置１１は、リモートコントローラ２５から送信された操作情報、または、他のＡＶ機器３１から供給された操作情報によって制御されることになる。また、このＡＶ機器であるデジタルテレビジョン放送受信装置１１は、リモートコントローラ２５から送信された操作情報、または、自己が発生する操作情報によって、他のＡＶ機器３１を制御することができる。
【００２９】
このように、ＡＶ機器であるデジタルテレビジョン放送受信装置１１は、他のＡＶ機器３１との相互間での操作情報の伝送を多様な形態で実現することを可能にしている。これにより、操作形態の多様化を図ることができ、ユーザにとっての取り扱いを便利にすることができる。
【００３０】
また、ＡＶ機器であるデジタルテレビジョン放送受信装置１１は、外部のＡＶ機器３１と接続するための外部接続端子３０ａを１つとし、その外部接続端子３０ａを操作情報の入力用と出力用とに選択的に切り替えて使用するようにしている。このため、構成も簡易となり小型化を効果的に促進することができるようになる。
【００３１】
図２は、上記リモートコントローラ２５の外観を示している。このリモートコントローラ２５には、主として、電源キー２５ａ、入力切替キー２５ｂ、数字キー２５ｃ、チャンネルアップダウンキー２５ｄ、音量調整キー２５ｅ、カーソル上キー２５ｆ、カーソル下キー２５ｇ、カーソル左キー２５ｈ、カーソル右キー２５ｉ、決定キー２５ｊ、メニューキー２５ｋ、戻るキー２５ｌ、終了キー２５ｍ、４色（青，赤，緑，黄）のカラーキー２５ｎ等が設けられている。
【００３２】
また、このリモートコントローラ２５には、再生停止キー２５ｏ、再生／一時停止キー２５ｐ、逆方向スキップキー２５ｑ、順方向スキップキー２５ｒ、早戻しキー２５ｓ、早送りキー２５ｔ等が設けられている。
【００３３】
すなわち、上記ＨＤＤ２７から取得した映像や音声等の情報に対しては、リモートコントローラ２５の再生停止キー２５ｏや再生／一時停止キー２５ｐを操作することにより、再生、停止、一時停止を行なうことが可能となる。
【００３４】
また、リモートコントローラ２５の逆方向スキップキー２５ｑや順方向スキップキー２５ｒを操作することにより、ＨＤＤ２７で再生している映像や音声等の情報を、その再生方向に対して逆方向や順方向に一定量ずつスキップさせる、いわゆる、逆方向スキップや順方向スキップを行なうことができる。
【００３５】
さらに、リモートコントローラ２５の早戻しキー２５ｓや早送りキー２５ｔ等を操作することにより、ＨＤＤ２７で再生している映像や音声等の情報を、その再生方向に対して逆方向や順方向に連続的に高速で再生させる、いわゆる、早戻し再生や早送り再生を行なうことができる。
【００３６】
次に、上記切替制御部３０を入力モードと出力モードとに選択的に切り替える操作について説明する。この切り替え操作は、ユーザがリモートコントローラ２５のメニューキー２５ｋを操作して、階層構造となされた複数種類のメニュー画面に分け入ることにより、図３に一例を示すような設定メニュー画面３３を映像表示部２１に表示させることによって行なわれる。
【００３７】
この設定メニュー画面３３には、デジタルテレビジョン放送受信装置１１の各種状態を設定するための複数（図示の場合は６つ）の項目「Auto Input」、「IR Control」、「Energy Saving Settings」、「Blue Screen」、「HDMI Information」、「LED Dimmer」が表示されている。なお、リモートコントローラ２５のカーソル上または下キー２５ｆ，２５ｇを操作して、表示されている各項目を上または下方向にスクロールさせることにより、上記した６つの項目以外の複数の項目を表示させることができる。
【００３８】
そして、この設定メニュー画面３３の表示状態で、ユーザがリモートコントローラ２５のカーソル上または下キー２５ｆ，２５ｇを操作して「IR Control」の項目を選択する。この状態で、ユーザがリモートコントローラ２５のカーソル左または右キー２５ｈ，２５ｉを操作すると、操作する毎に「IR Control」の項目に対して「In」と「Out」とが交互に切り替えられる。
【００３９】
この場合、「IR Control」の項目が「In」に設定されたとき、上記切替制御部３０が入力モードに設定され、「IR Control」の項目が「Out」に設定されたとき、上記切替制御部３０が出力モードに設定される。このため、ユーザが、「IR Control」の項目を「In」または「Out」に設定した後、リモートコントローラ２５の決定キー２５ｊを操作することにより、切替制御部３０を入力モードまたは出力モードに設定することができる。
【００４０】
次に、ＡＶ機器であるデジタルテレビジョン放送受信装置１１と他のＡＶ機器３１との相互間における、操作情報の多様化された伝送形態について具体的に説明する。まず、図４は、リモートコントローラ２５から送信される操作情報に基づいてデジタルテレビジョン放送受信装置１１を制御する際の、操作情報の流れを示している。
【００４１】
すなわち、ユーザの操作により、リモートコントローラ２５から例えば赤外線を伝送媒体として送信される操作情報は、デジタルテレビジョン放送受信装置１１の受光部２６に受信されて電気的な操作情報に変換された後、切替制御部３０に供給される。この切替制御部３０は、入力モード及び出力モードのいずれに設定されている場合であっても、受光部２６から供給された操作情報は、制御部２３に供給するように動作する。これにより、制御部２３は、リモートコントローラ２５から送信された操作情報を受けて、デジタルテレビジョン放送受信装置１１を制御することができる。
【００４２】
また、図５は、他のＡＶ機器３１から出力される操作情報に基づいてデジタルテレビジョン放送受信装置１１を制御する際の、操作情報の流れを示している。すなわち、ＡＶ機器３１には、操作情報を外部に導出するための出力端子３１ａが設置されており、この出力端子３１ａと、上記切替制御部３０の外部接続端子３０ａとが信号線３４で接続されている。
【００４３】
この場合、信号線３４の両端部には、それぞれ、例えば３．５ｍｍ程度の小型ジャック３５，３６が設置されている。そして、ＡＶ機器３１の出力端子３１ａは、一方のジャック３５が装着される構造となっており、上記切替制御部３０の外部接続端子３０ａは、他方のジャック３６が装着される構成となっている。これにより、ＡＶ機器３１と切替制御部３０とが操作情報の伝送可能に有線接続されることになる。
【００４４】
さらに、上記切替制御部３０は、入力モードに設定されており、その外部接続端子３０ａに供給された操作情報をデジタルテレビジョン放送受信装置１１の制御部２３に供給するように動作している。このため、ＡＶ機器３１の出力端子３１ａから出力された操作情報は、ジャック３５、信号線３４、ジャック３６、外部接続端子３０ａ及び切替制御部３０を介して制御部２３に供給される。これにより、制御部２３は、ＡＶ機器３１から供給された操作情報を受けて、デジタルテレビジョン放送受信装置１１を制御することができる。
【００４５】
また、図６（ａ）は、リモートコントローラ２５から送信される操作情報に基づいてＡＶ機器３１を制御する際の、操作情報の流れを示している。すなわち、ＡＶ機器３１には、操作情報を外部から導入するための入力端子３１ｂが設置されており、この入力端子３１ｂと、上記切替制御部３０の外部接続端子３０ａとが信号線３７で接続されている。
【００４６】
この場合、信号線３７の両端部には、それぞれ、例えば３．５ｍｍ程度の小型ジャック３８，３９が設置されている。そして、ＡＶ機器３１の入力端子３１ｂは、一方のジャック３９が装着される構造となっており、上記切替制御部３０の外部接続端子３０ａは、他方のジャック３８が装着される構成となっている。これにより、ＡＶ機器３１と切替制御部３０とが操作情報の伝送可能に有線接続されることになる。
【００４７】
さらに、上記切替制御部３０は、出力モードに設定されており、受光部２６から供給された操作情報を外部接続端子３０ａから出力するように動作している。このため、リモートコントローラ２５から例えば赤外線を伝送媒体として送信される操作情報は、デジタルテレビジョン放送受信装置１１の受光部２６に受信されて電気的な操作情報に変換された後、切替制御部３０、外部接続端子３０ａ、ジャック３８、信号線３７、ジャック３９及びＡＶ機器３１の入力端子３１ｂを介してＡＶ機器３１に供給される。これにより、リモートコントローラ２５から送信される操作情報によって、外部のＡＶ機器３１を制御することができる。
【００４８】
なお、図６（ｂ）に示すように、ＡＶ機器３１に、入力端子３１ｂに代えて、例えば赤外線を媒体として伝送される操作情報を受信するための受光部３１ｃが設置されている場合には、ジャック３９に代えて、電気赤外線変換機能を有する発光部４０を信号線３７の一端部に設け、ＡＶ機器３１の受光部３１ａの近傍に設置する。
【００４９】
このようにすれば、リモートコントローラ２５から送信される操作情報は、デジタルテレビジョン放送受信装置１１の受光部２６で電気的な操作情報に変換された後、切替制御部３０、外部接続端子３０ａ、ジャック３８、信号線３７、発光部４０及びＡＶ機器３１の受光部３１ｃを介してＡＶ機器３１に供給される。このため、リモートコントローラ２５から送信される操作情報によって、外部のＡＶ機器３１を制御することができる。
【００５０】
また、図７（ａ）は、デジタルテレビジョン放送受信装置１１の操作情報発生部３２から出力される操作情報に基づいてＡＶ機器３１を制御する際の、操作情報の流れを示している。図７（ａ）において、図６（ａ）と同一部分には同一符号を付して説明すると、切替制御部３０は、出力モードに設定されており、操作情報発生部３２から供給された操作情報を外部接続端子３０ａから出力するように動作している。
【００５１】
このため、操作情報発生部３２から出力された操作情報は、切替制御部３０、外部接続端子３０ａ、ジャック３８、信号線３７、ジャック３９及びＡＶ機器３１の入力端子３１ｂを介してＡＶ機器３１に供給される。これにより、デジタルテレビジョン放送受信装置１１から送信される操作情報によって、外部のＡＶ機器３１を制御することができる。
【００５２】
なお、図７（ｂ）に示すように、ＡＶ機器３１に、入力端子３１ｂに代えて、例えば赤外線を媒体として伝送される操作情報を受信するための受光部３１ｃが設置されている場合には、図６（ｂ）の説明と同様に、ジャック３９に代えて、電気赤外線変換機能を有する発光部４０を信号線３７の一端部に設け、ＡＶ機器３１の受光部３１ａの近傍に設置する。
【００５３】
これにより、操作情報発生部３２から出力された操作情報は、切替制御部３０、外部接続端子３０ａ、ジャック３８、信号線３７、発光部４０及びＡＶ機器３１の受光部３１ｃを介してＡＶ機器３１に供給される。このため、デジタルテレビジョン放送受信装置１１から送信される操作情報によって、外部のＡＶ機器３１を制御することができる。
【００５４】
次に、上記操作情報発生部３２から外部のＡＶ機器３１を制御するための所望の操作情報を発生させる操作について説明する。この操作情報発生操作は、ユーザがリモートコントローラ２５のメニューキー２５ｋを操作して、階層構造となされた複数種類のメニュー画面に分け入ることにより、図８に一例を示すような操作情報選択メニュー画面４１を映像表示部２１に表示させることによって行なわれる。
【００５５】
この操作情報選択メニュー画面４１には、切替制御部３０の外部接続端子３０ａに接続されているＡＶ機器３１を示す項目４１ａと、そのＡＶ機器３１を制御するための複数の操作内容を示す項目４１ｂとが表示されている。そして、ユーザがリモートコントローラ２５のカーソル上、下、左、右キー２５ｆ，２５ｇ，２５ｈ，２５ｉを操作して、複数の項目４１ｂの中から所望の操作内容を選択し、決定キー２５ｊを操作することにより、選択された操作内容に対応した操作情報が操作情報発生部３２から出力される。
【００５６】
なお、外部接続端子３０ａに複数のＡＶ機器がシリアルに接続されている場合には、ユーザがリモートコントローラ２５のカーソル上または下キー２５ｆ，２５ｇを操作することにより、接続されている各ＡＶ機器が項目４１ａに順次表示される。そして、所望のＡＶ機器が表示された状態でリモートコントローラ２５の決定キー２５ｊを操作すると、そのＡＶ機器が選定される。このとき、操作情報選択メニュー画面４１には、その選定されたＡＶ機器を制御するための複数の操作内容を示す項目４１ｂが表示されることになる。
【００５７】
上記した実施の形態によれば、ＡＶ機器であるデジタルテレビジョン放送受信装置１１は、リモートコントローラ２５から送信された操作情報、または、他のＡＶ機器３１から供給された操作情報によって制御することが可能となる。また、このＡＶ機器であるデジタルテレビジョン放送受信装置１１は、リモートコントローラ２５から送信された操作情報、または、自己が発生する操作情報によって、他のＡＶ機器３１を制御することが可能となる。
【００５８】
このように、ＡＶ機器であるデジタルテレビジョン放送受信装置１１は、他のＡＶ機器３１との相互間での操作情報の伝送を多様な形態で実現することを可能にしている。これにより、操作形態の多様化を図ることができ、ユーザにとっての取り扱いを便利にすることができる。
【００５９】
また、ＡＶ機器であるデジタルテレビジョン放送受信装置１１は、外部のＡＶ機器３１と接続するための外部接続端子３０ａを１つとし、その外部接続端子３０ａを操作情報の入力用と出力用とに選択的に切り替えて使用するようにしている。このため、構成も簡易となり小型化を効果的に促進することができるようになる。
【００６０】
さらに、上記した実施の形態において、ＡＶ機器であるデジタルテレビジョン放送受信装置１１は、電源をオンにする旨の操作情報を受光部２６で受けた場合、以後、リモートコントローラ２５によって操作される可能性が高く、ひいては、自己が外部のＡＶ機器３１を操作する可能性が高いと判断して、電源のオンされている期間、切替制御部３０を自動的に出力モードに設定するようにすることもできる。
【００６１】
また、ＡＶ機器であるデジタルテレビジョン放送受信装置１１は、電源をオンにする旨の操作情報を外部接続端子３０ａで受けた場合、以後、外部のＡＶ機器３１によって操作される可能性が高いと判断して、電源のオンされている期間、切替制御部３０を自動的に入力モードに設定するようにすることもできる。このようにすれば、ユーザにとっての取り扱いをより一層便利にすることができる。
【００６２】
さらに、上記した実施の形態では、リモートコントローラ２５や発光部４０が、赤外線を伝送媒体として操作情報を送信するものであると説明したが、これに限定されるものではなく、例えば電波や赤外線以外の光等を伝送媒体として操作情報を無線送信するものであっても良いことはもちろんである。
【００６３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６４】
１１…デジタルテレビジョン放送受信装置、１２…アンテナ、１３…入力端子、１４…チューナ部、１５…復調復号部、１６…信号処理部、１７…合成処理部、１８…音声処理部、１９…ＯＳＤ信号生成部、２０…映像処理部、２１…映像表示部、２２…スピーカ、２３…制御部、２３ａ…ＣＰＵ、２３ｂ…メモリ部、２４…操作部、２５…リモートコントローラ、２６…受光部、２７…ＨＤＤ、２７ａ…ハードディスク、２８…記録再生処理部、２９…入力端子、３０…切替制御部、３０ａ…外部接続端子、３１…ＡＶ機器、３１ａ…出力端子、３１ｂ…入力端子、３１ｃ…受光部、３２…操作情報発生部、３３…設定メニュー画面、３４…信号線、３５，３６…ジャック、３７…信号線、３８，３９…ジャック、４０…発光部、４１…操作情報選択メニュー画面、４１ａ，４１ｂ…項目。
【図１】
2012034190.tif 000003
【図２】
2012034190.tif 000004
【図３】
2012034190.tif 000005
【図４】
2012034190.tif 000006
【図５】
2012034190.tif 000007
【図６】
2012034190.tif 000008
【図７】
2012034190.tif 000009
【図８】
2012034190.tif 000010
【手続補正書】
【提出日】平成23年10月17日(2011.10.17)
【手続補正１】
【補正対象書類名】明細書
【補正対象項目名】０００７
【補正方法】変更
【補正の内容】
【０００７】
実施の形態によれば、情報処理装置は、受信手段と接続手段と発生手段と切替手段とを備える。受信手段は、リモートコントローラから送信される操作情報を受信する。接続端子は、操作情報の入出力を行なう。発生手段は、接続端子を介して出力する操作情報を発生する。切替手段は、接続端子を介して操作情報を入力する状態と、接続端子を介して受信手段で受信した操作情報及び発生手段から出力される操作情報の少なくとも一方を出力する状態とに選択的に設定し、操作情報を入力する状態で電源をオンにする旨の操作情報を受信手段で受けた場合、操作情報を出力する状態に自動的に設定する。
【手続補正２】
【補正対象書類名】特許請求の範囲
【補正対象項目名】全文
【補正方法】変更
【補正の内容】
【特許請求の範囲】
【請求項１】
リモートコントローラから送信される操作情報を受信する受信手段と、
操作情報の入出力を行なう接続端子と、
前記接続端子を介して出力する操作情報を発生する発生手段と、
前記接続端子を介して操作情報を入力する状態と、前記接続端子を介して前記受信手段で受信した操作情報及び前記発生手段から出力される操作情報の少なくとも一方を出力する状態とに選択的に設定し、
前記操作情報を入力する状態で電源をオンにする旨の操作情報を前記受信手段で受けた場合、前記操作情報を出力する状態に自動的に設定する切替手段とを具備する情報処理装置。
【請求項２】
前記切替手段は、表示されたメニュー画面上で、状態を設定する操作が行なわれる請求項１記載の情報処理装置。
【請求項３】
前記切替手段は、前記操作情報を入力する状態で電源をオンにする旨の操作情報を前記接続端子を介して受けた場合、前記操作情報を入力する状態を保持する請求項１記載の情報処理装置。
【請求項４】
前記発生手段は、表示されたメニュー画面上で、発生する操作情報を選定する操作が行なわれる請求項１記載の情報処理装置。
【請求項５】
前記接続端子は、操作情報を伝送する信号線の一端部に設置されたジャックが装着される請求項１記載の情報処理装置。
【請求項６】
前記接続端子は、操作情報を伝送する信号線の一端部に設置された３．５ｍｍの小型ジャックが装着される請求項１記載の情報処理装置。
【請求項７】
前記信号線の他端部には、他の機器が有する操作情報の出力端子、または、他の機器が有する操作情報の入力端子に、選択的に装着されるジャックが設置される請求項５記載の情報処理装置。
【請求項８】
前記信号線の他端部には、前記接続端子を介して出力される操作情報を無線送信する送信手段が設置される請求項５記載の情報処理装置。
【請求項９】
リモートコントローラから送信される操作情報を受信する受信手段と、
外部機器と接続される接続端子と、
前記接続端子を介して前記外部機器に出力する操作情報を発生する発生手段と、
前記接続端子を介して前記外部機器からの操作情報を入力する第１の状態と、前記接続端子を介して前記受信手段で受信した操作情報及び前記発生手段から出力される操作情報の少なくとも一方を前記外部機器へ出力する第２の状態とに選択的に設定し、
電源をオンにする旨の操作情報を前記受信手段で受けたことに応じて、前記第１の状態から前記第２の状態へ自動的に切り替える切替手段とを具備する情報処理装置。
【請求項１０】
前記切替手段は、前記第１の状態で電源をオンにする旨の操作情報を前記接続端子を介して受けた場合、前記第１の状態を保持する請求項９記載の情報処理装置。
【請求項１１】
リモートコントローラから送信される操作情報を受信手段で受信し、
接続端子を介して操作情報の入出力を行ない、
前記接続端子を介して出力する操作情報を発生手段で発生し、
前記接続端子を介して操作情報を入力する状態と、前記接続端子を介して前記受信手段で受信した操作情報及び前記発生手段から出力される操作情報の少なくとも一方を出力する状態とに、切替手段により選択的に設定し、前記操作情報を入力する状態で電源をオンにする旨の操作情報を前記受信手段で受けた場合、前記操作情報を出力する状態に前記切替手段を自動的に設定する情報処理装置の制御方法。